(57)【要約】【課題】水が電装部品の電気接合部に向かって飛散することを抑えることができる燃焼装置を提供すること。【解決手段】燃焼装置２は、筐体４と、吸気孔を有するフロントカバー３と、吸気孔を通して燃焼に必要な空気を筐体４の内部に導入し送り出すファン５と、ファン５から供給された空気を用いて燃焼し熱交換器８２を加熱するバーナ８１と、ファン５およびバーナ８１の動作に必要な電源および制御信号の少なくともいずれかを供給する電装部品６と、電装部品６を覆い、電装部品６の電気的な接続が行われる電気接合部の前側を開閉可能な開閉部７１を有する防滴カバー７と、を備える。開閉部７１は、筐体４の内部に進入した水および筐体４の内部で発生した水の少なくともいずれかであって開閉部７１に付着した水が空気の流れにより電気接合部に向かって飛散することを抑制する飛散抑制部７２を有する。【選択図】図３
2020056523.tif 000002
【特許請求の範囲】
【請求項１】
筐体と、
前記筐体に取り付けられ前記筐体の前側を覆い、吸気孔を有するフロントカバーと、
前記筐体の内部に設けられ、前記吸気孔を通して燃焼に必要な空気を前記筐体の内部に導入し送り出すファンと、
前記筐体の内部に設けられ、前記ファンから供給された前記空気を用いて燃焼し熱交換器を加熱するバーナと、
前記筐体の内部に設けられ、前記ファンおよび前記バーナの動作に必要な電源および制御信号の少なくともいずれかを供給する電装部品と、
前記筐体の内部に設けられ前記電装部品を覆い、前記電装部品の電気的な接続が行われる電気接合部の前記前側を開閉可能な開閉部を有する防滴カバーと、
を備え、
前記開閉部は、前記筐体の内部に進入した水および前記筐体の内部で発生した水の少なくともいずれかであって前記開閉部に付着した水が前記空気の流れにより前記電気接合部に向かって飛散することを抑制する飛散抑制部を有することを特徴とする燃焼装置。
【請求項２】
前記飛散抑制部は、前記開閉部の前面から前記電気接合部に向かって延びた鍔形状を有することを特徴とする請求項１に記載の燃焼装置。
【請求項３】
前記開閉部は、上部において水平方向に延びた軸を中心として回動することにより前記開閉可能な構造を有し、
前記飛散抑制部は、前記開閉部の側方部および下部に設けられたことを特徴とする請求項１または２に記載の燃焼装置。
【請求項４】
前記防滴カバーは、樹脂製のシート部材により形成されたことを特徴とする請求項１〜３のいずれか１項に記載の燃焼装置。
【発明の詳細な説明】
【技術分野】
【０００１】
本発明は、外気を導入し燃焼する給湯器等の燃焼装置に関する。
【背景技術】
【０００２】
特許文献１には、外気を取り入れて燃焼するバーナーユニットを収納したハウジングの正面開口を塞ぐ燃焼装置のフロントカバーが開示されている。特許文献１に記載された燃焼装置のフロントカバーは、外気取り入れ口が形成されたカバー本体と、カバー本体と略平行に延出する内壁と、を備える。カバー本体と、内壁と、の間には、外気取り入れ口から取り入れた外気をバーナーユニット側に案内する外気通路が形成されている。また、カバー本体には、外気取り入れ口から雨等の水がそのまま吹き込むことを抑えるルーバが、外気通路に向かって設けられている。さらに、外気通路の先には、外気通路により案内された外気に接して水滴を捕捉する水滴捕捉部材が設けられている。
【０００３】
風雨時等のように外気が水滴を含む場合において、外気とともに外気取り入れ口から浸入した水滴は、慣性の法則により直進しようとしてルーバや内壁に当たる。これにより、外気に含まれる水滴がバーナーユニット側に浸入することは、阻止される。言い換えれば、大粒の雨や多量の水が外気通路によりバーナーユニット側に案内されることは、阻止される。
【０００４】
一方で、直径が例えば約１ｍｍ未満の細かい水滴や霧、あるいは大粒の雨がルーバや内壁に衝突し飛散した細かい水滴や霧は、外気とともに外気通路に浸入する場合がある。このような細かい水滴や霧は、外気とともに外気通路に沿って案内された後、慣性の法則により直進しようとして外気通路の先に配置された水滴捕捉部材に接触し捕捉される。一方で、外気は、内壁と水滴捕捉部材との間の空間を通り、バーナーユニット側に案内される。このようにして、特許文献１に記載された燃焼装置のフロントカバーは、水滴や霧の浸入を防止できる。
【０００５】
しかし、風雨時等の比較的高い湿度の空気がバーナーユニット側に案内されフロントカバーの内壁に接触すると、結露が生ずることを本願発明者は見出した。すなわち、前述した通り、外気とともに外気取り入れ口から浸入した水滴は、慣性の法則により直進しようとしてルーバや内壁に衝突し飛散して細かい水滴や霧になる。このとき、ルーバや内壁は、水滴が細かい水滴や霧になるときに生ずる気化熱により熱を奪われ冷却されると推定され、そのため、風雨時等の比較的高い湿度の空気がバーナーユニット側に案内されフロントカバーの内壁に接触することによって、結露が生ずると推定される。
【０００６】
これに対して、ハウジングの内部には、水が電装部品にかかることを抑える防滴カバーが設けられていることがある。防滴カバーは、例えば漏電ブレーカや基板などの電装部品を覆い、漏電ブレーカの端子や基板のコネクタなどの電気接合部に水がかかることを抑える。これにより、防滴カバーは、ショート等の不具合が電気接合部に生ずることを抑える。
【０００７】
ここで、工事業者等の作業者は、燃焼装置を設置するときに設置現場においてフロントカバーを外し、漏電ブレーカの端子等の電気接合部に電線を接続する作業を行う。このような作業の効率向上を図るために、電気接合部の前側を開閉可能な開閉部が防滴カバーに設けられていることがある。これにより、作業者は、防滴カバーの開閉部を操作し、電装部品を覆う防滴カバーを外すことなく電気接合部に電線を接続する作業を容易に行うことができる。
【先行技術文献】
【特許文献】
【０００８】
【特許文献１】特開平１１−３７５６８号公報
【発明の概要】
【発明が解決しようとする課題】
【０００９】
しかし、作業者が防滴カバーの開閉部を操作し電気接合部に電線を接続する作業を行うと、防滴カバーの開閉部において曲げ癖や変形が生ずることがある。そして、結露により生じた水（結露水）が、曲げ癖や変形が生じた防滴カバーの開閉部と、フロントカバーと、の間に溜まることがある。そうすると、防滴カバーの開閉部とフロントカバーとの間に溜まった水（結露水）が、バーナーユニットに空気を供給するファンが吸い込む空気の流れにより、開閉部の側方に生じた隙間を通り開閉部の裏面に回り込んで電装部品の電気接合部に向かって飛散することがある。この点において、特許文献１に記載された燃焼装置のフロントカバーには、改善の余地がある。
【００１０】
本発明は、前記課題を解決するためになされたものであり、水が電装部品の電気接合部に向かって飛散することを抑えることができる燃焼装置を提供することを目的とする。
【課題を解決するための手段】
【００１１】
前記課題は、本発明によれば、筐体と、前記筐体に取り付けられ前記筐体の前側を覆い、吸気孔を有するフロントカバーと、前記筐体の内部に設けられ、前記吸気孔を通して燃焼に必要な空気を前記筐体の内部に導入し送り出すファンと、前記筐体の内部に設けられ、前記ファンから供給された前記空気を用いて燃焼し熱交換器を加熱するバーナと、前記筐体の内部に設けられ、前記ファンおよび前記バーナの動作に必要な電源および制御信号の少なくともいずれかを供給する電装部品と、前記筐体の内部に設けられ前記電装部品を覆い、前記電装部品の電気的な接続が行われる電気接合部の前記前側を開閉可能な開閉部を有する防滴カバーと、を備え、前記開閉部は、前記筐体の内部に進入した水および前記筐体の内部で発生した水の少なくともいずれかであって前記開閉部に付着した水が前記空気の流れにより前記電気接合部に向かって飛散することを抑制する飛散抑制部を有することを特徴とする燃焼装置により解決される。
【００１２】
本発明に係る燃焼装置によれば、電装部品を覆う防滴カバーは、電装部品の電気的な接続が行われる電気接合部の前側を開閉可能な開閉部を有する。防滴カバーの開閉部は、筐体の内部に進入した水および筐体の内部で発生した水の少なくともいずれかであって開閉部に付着した水が空気の流れにより電気接合部に向かって飛散することを抑制する飛散抑制部を有する。これにより、例えば、風雨時等の比較的高い湿度の空気がフロントカバーの内面に接触して結露が生じ、さらに防滴カバーの開閉部において曲げ癖や変形が生じて開閉部とフロントカバーとの間に水が溜まった場合であっても、飛散抑制部は、バーナに空気を供給するファンが吸い込む空気の流れにより水が電気接合部に向かって飛散することを抑制することができる。
【００１３】
本発明に係る燃焼装置において、好ましくは、前記飛散抑制部は、前記開閉部の前面から前記電気接合部に向かって延びた鍔形状を有することを特徴とする。
【００１４】
本発明に係る燃焼装置によれば、開閉部とフロントカバーとの間に溜まった水は、開閉部の前面から電気接合部に向かって延びた鍔形状の飛散抑制部の表面を伝うことができる。そのため、防滴カバーの開閉部において曲げ癖や変形が生じた場合であっても、開閉部とフロントカバーとの間に溜まった水は、ファンが吸い込む空気の流れにより鍔形状の飛散抑制部の表面を伝い落下する。つまり、飛散抑制部は、開閉部とフロントカバーとの間に溜まった水が開閉部の裏面に回り込むことを抑えることができる。これにより、鍔形状の飛散抑制部は、水が電装部品の電気接合部に向かって飛散することをより確実に抑えることができる。
【００１５】
本発明に係る燃焼装置において、好ましくは、前記開閉部は、上部において水平方向に延びた軸を中心として回動することにより前記開閉可能な構造を有し、前記飛散抑制部は、前記開閉部の側方部および下部に設けられたことを特徴とする。
【００１６】
本発明に係る燃焼装置によれば、開閉部は、上部において水平方向に延びた軸を中心として回動することにより電気接合部の前側を開閉する。そして、飛散抑制部は、開閉部の側方部および下部に設けられている。そのため、防滴カバーの開閉部において曲げ癖や変形が生じた場合であっても、飛散抑制部は、開閉部とフロントカバーとの間に溜まった水が開閉部の側方部および下部から開閉部の裏面に回り込むことを抑えることができる。すなわち、開閉部とフロントカバーとの間に溜まった水は、ファンが吸い込む空気の流れにより開閉部の側方部および下部に向かって流れた場合であっても、開閉部の側方部および下部に設けられた飛散抑制部の表面を伝い落下する。これにより、飛散抑制部は、水が電装部品の電気接合部に向かって飛散することをより確実に抑えることができる。
【００１７】
本発明に係る燃焼装置において、好ましくは、前記防滴カバーは、樹脂製のシート部材により形成されたことを特徴とする。
【００１８】
本発明に係る燃焼装置によれば、防滴カバーの開閉部において飛散抑制部を比較的容易に形成することができる。また、作業者は、樹脂製のシート部材により形成された開閉部を容易に操作することができる。これにより、作業者の作業の効率向上を図りつつ、水が電装部品の電気接合部に向かって飛散することを抑えることができる。
【発明の効果】
【００１９】
本発明によれば、水が電装部品の電気接合部に向かって飛散することを抑えることができる燃焼装置を提供することができる。
【図面の簡単な説明】
【００２０】
【図１】本発明の実施形態に係る燃焼装置を表す正面図である。
【図２】本実施形態に係る燃焼装置を表す側面図である。
【図３】図１に表した切断面Ａ１−Ａ１における断面図である。
【図４】本実施形態の漏電ブレーカの近傍を拡大して表した斜視図である。
【図５】本実施形態の漏電ブレーカの端子の近傍を拡大して表した斜視図である。
【図６】本実施形態の漏電ブレーカの端子の近傍を拡大して表した斜視図である。
【図７】本実施形態の防滴カバーを表す斜視図である。
【図８】本実施形態の空気の流れの一例を表す正面図である。
【図９】気化熱により冷却される防雨板の領域の一例を表す正面図である。
【図１０】本実施形態の比較例の防滴カバーを表す斜視図である。
【図１１】図１０に表した矢印Ａ２の方向に向かって比較例の防滴カバーをみたときの状態を表す断面図である。
【図１２】本発明者が実施したシミュレーション結果の一例を表す模式図である。
【図１３】本発明者が実施したシミュレーション結果の一例を表す模式図である。
【図１４】本発明者が実施したシミュレーション結果の一例を表す模式図である。
【発明を実施するための形態】
【００２１】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２２】
図１は、本発明の実施形態に係る燃焼装置を表す正面図である。
図２は、本実施形態に係る燃焼装置を表す側面図である。
図３は、図１に表した切断面Ａ１−Ａ１における断面図である。
本実施形態に係る燃焼装置２は、外気を導入し燃焼する給湯器等の燃焼装置であり、筐体４と、フロントカバー３と、ファン５と、電装部品６と、防滴カバー７と、バーナ８１と、を備える。
【００２３】
ここで、本願明細書において、本実施形態に係る燃焼装置２を正面からみたときに（図１参照）、上側の方向を「上方」と称し、下側の方向を「下方」と称し、左側の方向を「左側方」と称し、右側の方向を「右側方」と称する。また、本願明細書において、本実施形態に係る燃焼装置２を側方からみたときに（図２参照）、筐体４に対してフロントカバー３の側の方向を「前方」と称し、フロントカバー３に対して筐体４の側の方向を「後方」と称する。
【００２４】
筐体４は、略長方形状を呈する箱形のハウジングであり、ファン５と、電装部品６と、防滴カバー７と、バーナ８１と、熱交換器８２などのその他の機器および部材と、を収納する。
【００２５】
フロントカバー３は、筐体４の前方部に取り付けられ、筐体４の前側を覆っている。図１〜図３に表したように、フロントカバー３は、前板３１と、防雨板３２と、を有する。前板３１は、吸気孔３１１と、排気孔と３１２と、を有する。本実施形態に係る燃焼装置２では、複数の吸気孔３１１が、前板３１の上下方向における中央部から下方部にかけて設けられている。バーナ８１の燃焼に必要な空気は、筐体４の外部から前板３１の吸気孔３１１を通して筐体４の内部に導入される。なお、吸気孔３１１の設置箇所、設置数および開口形状は、特には限定されない。排気孔３１２は、前板３１の上方部に設けられている。バーナ８１において燃焼したガスは、熱交換器８２を通過した後、排気ガスとして排気孔３１２を通して筐体４の外部に排出される。なお、排気孔３１２の設置箇所、設置数および開口形状は、特には限定されない。
【００２６】
防雨板３２は、端部において前板３１に固定されるとともに、前板３１から後方に離れた位置において前板３１に対向して設けられている。これにより、図３に表したように、前板３１と防雨板３２との間には、吸気孔３１１を通過した空気が流れる通路３２４が形成されている。風雨時等のように外気が水滴を含む場合において、外気とともに吸気孔３１１を通過した水滴は、慣性の法則により直進しようとして防雨板３２に当たる。これにより、外気に含まれる水滴が筐体４の内部に進入することは、抑制される。言い換えれば、大粒の雨や多量の水が筐体４の内部に案内されることは、抑制される。このようにして、防雨板３２は、吸気孔３１１を通過した水滴が筐体４の内部に進入することを抑制する。また、防雨板３２は、筐体４の内部に設けられたファン５やバーナ８１などの機器において発生する音が筐体４の外部に漏れることを抑える防音機能を有する。
【００２７】
図１および図３に表したように、防雨板３２は、第１開口部３２１と、第２開口部３２２と、第３開口部３２３と、を有する。吸気孔３１１を通過した空気は、前板３１と防雨板３２との間の通路３２４を通過した後、第１開口部３２１と、第２開口部３２２と、第３開口部３２３と、の少なくともいずれかを通過し、筐体４の内部に導入される。吸気孔３１１を通過した空気の流れの詳細については、後述する。
【００２８】
ファン５は、筐体４の内部に設けられ、前板３１の吸気孔３１１と、前板３１と防雨板３２との間の通路３２４と、防雨板３２の第１開口部３２１、第２開口部３２２および第３開口部３２３と、を通して、バーナ８１の燃焼に必要な空気を筐体４の内部に導入する。そして、図３に表した矢印Ａ３のように、ファン５は、吸気孔３１１を通して導入した空気をバーナ８１の燃焼室に送り出す。筐体４の内部における空気の流れの詳細については、後述する。
【００２９】
バーナ８１は、筐体４の内部において熱交換器８２の近傍に設けられ、図示しないガス管を通して供給されたガスと、ファン５から供給された空気と、を用いて燃焼し熱交換器８２を加熱する。熱交換器８２は、多数のフィンを有し、バーナ８１により加熱されるとともに、水供給源から供給された水を加熱する。
【００３０】
電装部品６は、筐体４の内部に設けられ、ファン５、バーナ８１およびその他の機器の動作に必要な電源および制御信号の少なくともいずれかを供給する。電装部品６としては、例えば、漏電ブレーカ６１や基板６２などが挙げられる。本実施形態の漏電ブレーカ６１および基板６２のそれぞれは、本発明の「電装部品」の一例である。
【００３１】
防滴カバー７は、筐体４の内部に設けられ、漏電ブレーカ６１および基板６２などの電装部品６を覆っている。防滴カバー７は、例えばアクリルやポリ塩化ビニルなどの樹脂のシート部材により形成され、電装部品６の前側を覆うことにより、水が電装部品６にかかることを抑える。具体的には、防滴カバー７は、電装部品６の電気的な接続が行われる電気接合部の前側を覆い、水が電気接合部にかかることを抑える。これにより、防滴カバー７は、ショート等の不具合が電気接合部に生ずることを抑える。図１に表したように、電気接合部としては、例えば、漏電ブレーカ６１の端子６１２や基板６２のコネクタ６２１などが挙げられる。
【００３２】
図４は、本実施形態の漏電ブレーカの近傍を拡大して表した斜視図である。
図５および図６は、本実施形態の漏電ブレーカの端子の近傍を拡大して表した斜視図である。
図７は、本実施形態の防滴カバーを表す斜視図である。
図８は、本実施形態の空気の流れの一例を表す正面図である。
図９は、気化熱により冷却される防雨板の領域の一例を表す正面図である。
【００３３】
なお、図５は、防滴カバー７の開閉部７１において曲げ癖が生ずる前の状態を表す斜視図である。図６は、防滴カバー７の開閉部７１において曲げ癖が生じた後の状態を表す斜視図である。図４〜図７に表した防滴カバー７は、光透過性の樹脂製のシート部材により形成されている。そのため、図４〜図７は、防滴カバー７の後側の部材が防滴カバー７を通して透けた状態を表している。但し、本実施形態の防滴カバー７は、光透過性の樹脂製のシート部材により形成されることに限定されるわけではない。図８では、説明の便宜上、基板６２、バーナ８１および熱交換器８２を省略している。
【００３４】
以下の説明では、説明の便宜上、電装部品６の一例として漏電ブレーカ６１を挙げる。言い換えれば、電気接合部の例として漏電ブレーカ６１の端子６１２を挙げる。図５および図６に表したように、本実施形態の漏電ブレーカ６１は、蓋部６１１を有する。図５に表した矢印Ａ６のように、蓋部６１１は、蓋部６１１の上部において水平方向に延びた軸Ａ１２を中心として回動することができる。蓋部６１１は、閉じた状態において漏電ブレーカ６１の端子６１２を覆い、水が漏電ブレーカ６１の端子６１２にかかることを抑える。一方で、蓋部６１１が開くと、漏電ブレーカ６１の端子６１２が露出する。なお、図５および図６は、蓋部６１１が閉じた状態を表している。
【００３５】
図８に表した矢印のように、吸気孔３１１を通過した空気は、前板３１と防雨板３２との間の通路３２４を通過した後、第１開口部３２１と、第２開口部３２２と、第３開口部３２３と、の少なくともいずれかを通過し、筐体４の内部に導入される。例えば、複数の吸気孔３１１のうち上方部に設けられた吸気孔３１１を通過した空気は、前板３１と防雨板３２との間の通路３２４を通過した後、第１開口部３２１を通過する。複数の吸気孔３１１のうち中央部に設けられた吸気孔３１１を通過した空気は、前板３１と防雨板３２との間の通路３２４を通過した後、第２開口部３２２を通過する。複数の吸気孔３１１のうち下方部に設けられた吸気孔３１１を通過した空気は、前板３１と防雨板３２との間の通路３２４を通過した後、第３開口部３２３を通過する。なお、図８に表した空気の流れは、一例であり、これだけに限定されるわけではない。そして、第１開口部３２１と、第２開口部３２２と、第３開口部３２３と、を通過した空気は、ファン５により吸い込まれバーナ８１に向かって送り出される。
【００３６】
風雨時等の比較的高い湿度の空気が、前板３１の吸気孔３１１と、前板３１と防雨板３２との間の通路３２４と、防雨板３２の第１開口部３２１、第２開口部３２２および第３開口部３２３と、を通して、筐体４の内部に案内され防雨板３２の内面３２５（図２および図３参照）に接触すると、結露が生ずることがある。防雨板３２の内面３２５とは、防雨板３２の表面のうちで電装部品６に対向する面をいう。すなわち、前述した通り、外気とともに吸気孔３１１を通過した水滴は、慣性の法則により直進しようとして防雨板３２に当たる。具体的には、水滴は、防雨板３２に衝突し飛散して細かい水滴や霧になる。このとき、防雨板３２は、水滴が細かい水滴や霧になるときに生ずる気化熱により熱を奪われ冷却される。そのため、風雨時等の比較的高い湿度の空気が筐体４の内部に案内され防雨板３２の内面３２５に接触すると、結露が生ずることがある。
【００３７】
図９に表した領域Ａ２１は、防雨板３２のうちで気化熱により比較的多くの熱を奪われ強く冷却される領域である。図９に表した領域Ａ２２は、防雨板３２のうちで気化熱により比較的少ない熱を奪われ弱く冷却される領域である。図９に表したように、防雨板３２のうちの比較的広い領域が、気化熱により熱を奪われ冷却される。なお、図９に表した冷却領域は、一例であり、これだけに限定されるわけではない。
【００３８】
これに対して、前述したように、本実施形態に係る燃焼装置２は、防滴カバー７を備える。防滴カバー７は、漏電ブレーカ６１の前側を覆うことにより、結露によって生じた水（結露水）が漏電ブレーカ６１にかかることを抑えることができる。また、防滴カバー７は、結露水が漏電ブレーカ６１の端子６１２にかかることを抑え、ショート等の不具合が漏電ブレーカ６１の端子６１２に生ずることを抑えることができる。
【００３９】
工事業者等の作業者は、燃焼装置２を設置するときに設置現場においてフロントカバー３を外し、漏電ブレーカ６１の蓋部６１１を開けて、漏電ブレーカ６１の端子６１２に電線を接続する作業を行う。これにより、例えば１００ボルトの商用電源が燃焼装置２に供給される。このような作業の効率向上を図るために、防滴カバー７は、漏電ブレーカ６１の端子６１２の前側を開閉可能な開閉部７１を有する。図６に表した矢印Ａ５のように、開閉部７１は、開閉部７１の上部において水平方向に延びた軸Ａ１１を中心として回動することができる。これにより、開閉部７１は、漏電ブレーカ６１の端子６１２の前側を開閉可能とされている。作業者は、防滴カバー７の開閉部７１を操作し、漏電ブレーカ６１の端子６１２の前側を開き、さらに漏電ブレーカ６１の蓋部６１１を開けることにより、漏電ブレーカ６１を覆う防滴カバー７を外すことなく漏電ブレーカ６１の端子６１２に電線を接続する作業を容易に行うことができる。
【００４０】
ここで、作業者が防滴カバー７の開閉部７１を操作し、漏電ブレーカ６１の端子６１２に電線を接続する作業を行うと、防滴カバー７の開閉部７１において曲げ癖や変形が生ずることがある。例えば、図３において二点鎖線で表した開閉部７１のように、あるいは図６に表した開閉部７１のように、防滴カバー７が樹脂製のシート部材により形成された場合において、作業者が防滴カバー７の開閉部７１を曲げ、漏電ブレーカ６１の端子６１２に電線を接続する作業を行うと、防滴カバー７の開閉部７１において曲げ癖が生ずることがある。そして、前述した結露水が、曲げ癖が生じた防滴カバー７の開閉部７１と、防雨板３２と、の間に溜まることがある。そうすると、防滴カバーの開閉部と防雨板との間に溜まった結露水が、ファンが吸い込む空気の流れにより、開閉部の側方に生じた隙間を通り開閉部の裏面に回り込んで漏電ブレーカの端子に向かって飛散することがある。そして、漏電ブレーカの端子に向かって飛散した水が、漏電ブレーカの蓋部の後側に回り込み、漏電ブレーカの端子に付着することがある。
【００４１】
これに対して、本実施形態の防滴カバー７の開閉部７１は、筐体４の内部に進入した水および筐体４の内部で発生した水（例えば結露水）の少なくともいずれかであって開閉部７１に付着した水が空気の流れにより漏電ブレーカ６１の端子６１２に向かって飛散することを抑制する飛散抑制部７２を有する。具体的には、図４〜図７に表したように、飛散抑制部７２は、開閉部７１の前面７１１から後側に折り曲げられ、漏電ブレーカ６１の端子６１２に向かって延びた鍔形状の構造を有する。また、飛散抑制部７２は、開閉部７１の右側方部、左側方部および下部と、に設けられている。
【００４２】
本実施形態に係る燃焼装置２によれば、防滴カバー７の開閉部７１は、水が空気の流れにより漏電ブレーカ６１の端子６１２に向かって飛散することを抑制する飛散抑制部７２を有する。これにより、例えば、風雨時等の比較的高い湿度の空気が防雨板３２の内面３２５に接触して結露が生じ、さらに防滴カバー７の開閉部７１において曲げ癖や変形が生じて開閉部７１と防雨板３２との間に水が溜まった場合であっても、飛散抑制部７２は、ファン５が吸い込む空気の流れにより水が漏電ブレーカ６１の端子６１２に向かって飛散することを抑制することができる。
【００４３】
具体的に説明すると、開閉部７１と防雨板３２との間に溜まった水は、開閉部７１の前面７１１から漏電ブレーカ６１の端子６１２に向かって延びた鍔形状の飛散抑制部７２の表面を伝うことができる。そのため、防滴カバー７の開閉部７１において曲げ癖や変形が生じた場合であっても、開閉部７１と防雨板３２との間に溜まった水は、ファン５が吸い込む空気の流れにより鍔形状の飛散抑制部７２の表面を伝い落下する。つまり、飛散抑制部７２は、開閉部７１と防雨板３２との間に溜まった水が開閉部７１の裏面に回り込むことを抑えることができる。開閉部７１の裏面とは、開閉部７１の前面７１１の裏側の面、すなわち漏電ブレーカ６１の端子６１２に対向する面である。これにより、鍔形状の飛散抑制部７２は、水が漏電ブレーカ６１の端子６１２に向かって飛散することをより確実に抑えることができる。
【００４４】
また、飛散抑制部７２は、開閉部７１の右側方部、左側方部および下部に設けられている。そのため、防滴カバー７の開閉部７１において曲げ癖や変形が生じた場合であっても、飛散抑制部７２は、開閉部７１と防雨板３２との間に溜まった水が開閉部７１の右側方部、左側方部および下部から開閉部７１の裏面に回り込むことを抑えることができる。すなわち、開閉部７１と防雨板３２との間に溜まった水は、ファン５が吸い込む空気の流れにより開閉部７１の右側方部、左側方部および下部に向かって流れた場合であっても、開閉部７１の右側方部、左側方部および下部に設けられた飛散抑制部７２の表面を伝い落下する。これにより、飛散抑制部７２は、水が漏電ブレーカ６１の端子６１２に向かって飛散することをより確実に抑えることができる。
【００４５】
このようにして、本実施形態の防滴カバー７は、水が漏電ブレーカ６１の端子６１２に向かって飛散することを抑制することができるとともに、水が漏電ブレーカ６１の端子６１２に付着することを抑制することができる。
【００４６】
また、防滴カバー７が樹脂製のシート部材により形成された場合には、防滴カバー７の開閉部７１において飛散抑制部７２を比較的容易に形成することができる。また、作業者は、樹脂製のシート部材により形成された開閉部７１を容易に操作することができる。これにより、作業者の作業の効率向上を図りつつ、水が漏電ブレーカ６１の端子６１２に向かって飛散することを抑えることができる。
【００４７】
次に、本実施形態の比較例の防滴カバーを、図面を参照して説明する。
なお、比較例の防滴カバー７Ａの構成要素が、図１〜図９に関して前述した本実施形態の防滴カバー７の構成要素と同様である場合には、重複する説明は適宜省略し、以下、相違点を中心に説明する。
【００４８】
図１０は、本実施形態の比較例の防滴カバーを表す斜視図である。
図１１は、図１０に表した矢印Ａ２の方向に向かって比較例の防滴カバーをみたときの状態を表す断面図である。
図１２〜図１４は、本発明者が実施したシミュレーション結果の一例を表す模式図である。
なお、図１２〜図１４は、図１０に表した矢印Ａ２の方向に向かって比較例の防滴カバーをみたときの状態に相当する。
【００４９】
図１０に表したように、本実施形態の比較例の防滴カバー７Ａは、図４〜図７に関して前述した飛散抑制部７２を有していない。この点において、比較例の防滴カバー７Ａは、本実施形態の防滴カバー７とは異なる。
【００５０】
図１０および図１１（ａ）〜図１１（ｄ）に表した矢印Ａ７のように、本実施形態のファン５が吸い込む空気の流れは、防滴カバー７Ａの開閉部７１Ａの前面７１１に沿って右側方から左側方に流れる。この空気の流れは、図８においても同様に表されている。図１１（ａ）に表したように、開閉部７１Ａの前面７１１に沿って流れた空気は、開閉部７１Ａの端部において剥離する。そして、剥離した空気の一部は、渦を巻き、開閉部７１Ａの裏面７１２に回り込む。続いて、図１１（ｂ）に表したように、剥離した空気の一部の渦は、徐々に大きくなり、開閉部７１Ａの裏面７１２の中央部に向かう。続いて、図１１（ｃ）および図１１（ｄ）に表したように、開閉部７１Ａの裏面７１２に回り込んだ空気の流れに伴い、開閉部７１Ａの前面７１１に付着した水３９が、開閉部７１Ａの裏面７１２に回り込み、開閉部７１Ａの裏面７１２の中央部に向かう。そして、開閉部７１Ａの裏面７１２に回り込んだ水３９が、開閉部７１Ａの裏面７１２に回り込んだ空気の流れにより、漏電ブレーカの端子に向かって飛散することがある。
【００５１】
本発明者は、防滴カバー７Ａの開閉部７１Ａの前面７１１に沿って右側方から左側方に流れる空気のシミュレーションを実施した。シミュレーション結果の一例は、図１２（ａ）〜図１４（ｃ）に表した通りである。図１２（ａ）〜図１４（ｃ）に表したシミュレーション結果において、開閉部７１Ａの前面７１１に沿って流れた空気の一部が、開閉部７１Ａの端部において剥離し、渦を巻き、開閉部７１Ａの裏面７１２に回り込んで開閉部７１Ａの裏面７１２の中央部に向かうことが分かる。この空気の流れにより、開閉部７１Ａの裏面７１２に回り込んだ水３９が、漏電ブレーカの端子に向かって飛散することがある。
【００５２】
これに対して、図４〜図９に関して前述したように、本実施形態の防滴カバー７の開閉部７１は、水が空気の流れにより漏電ブレーカ６１の端子６１２に向かって飛散することを抑制する飛散抑制部７２を有する。具体的には、飛散抑制部７２は、開閉部７１の前面７１１から後側に折り曲げられ、漏電ブレーカ６１の端子６１２に向かって延びた鍔形状の構造を有する。また、飛散抑制部７２は、開閉部７１の右側方部、左側方部および下部と、に設けられている。
【００５３】
これにより、開閉部７１と防雨板３２との間に溜まった水は、開閉部７１の前面７１１から漏電ブレーカ６１の端子６１２に向かって延びた鍔形状の飛散抑制部７２の表面を伝うことができる。そのため、防滴カバー７の開閉部７１において曲げ癖や変形が生じた場合であっても、開閉部７１と防雨板３２との間に溜まった水は、ファン５が吸い込む空気の流れにより鍔形状の飛散抑制部７２の表面を伝い落下する。つまり、飛散抑制部７２は、開閉部７１と防雨板３２との間に溜まった水が開閉部７１の裏面に回り込むことを抑えることができる。これにより、鍔形状の飛散抑制部７２は、水が漏電ブレーカ６１の端子６１２に向かって飛散することをより確実に抑えることができる。
【００５４】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００５５】
２：燃焼装置、  ３：フロントカバー、  ４：筐体、  ５：ファン、  ６：電装部品、  ７：防滴カバー、  ７Ａ：防滴カバー、  ３１：前板、  ３２：防雨板、  ３９：水、  ６１：漏電ブレーカ、  ６２：基板、  ７１：開閉部、  ７１Ａ：開閉部、  ７２：飛散抑制部、  ８１：バーナ、  ８２：熱交換器、  ３１１：吸気孔、  ３１２：排気孔、  ３２１：第１開口部、  ３２２：第２開口部、  ３２３：第３開口部、  ３２４：通路、  ３２５：内面、  ６１１：蓋部、  ６１２：端子、  ６２１：コネクタ、  ７１１：前面、  ７１２：裏面、  Ａ１１：軸、  Ａ１２：軸、  Ａ２１：領域、  Ａ２２：領域
【図１】
2020056523.tif 000003
【図２】
2020056523.tif 000004
【図３】
2020056523.tif 000005
【図４】
2020056523.tif 000006
【図５】
2020056523.tif 000007
【図６】
2020056523.tif 000008
【図７】
2020056523.tif 000009
【図８】
2020056523.tif 000010
【図９】
2020056523.tif 000011
【図１０】
2020056523.tif 000012
【図１１】
2020056523.tif 000013
【図１２】
2020056523.tif 000014
【図１３】
2020056523.tif 000015
【図１４】
2020056523.tif 000016